(57)【要約】【課題】チェッカー台の周囲に配置された電子機器の静電気に起因する誤動作を抑制する。【解決手段】チェッカー台１０１の上部には、収納可能な買物カゴ１０８を載置するための荷受部１０９が設けられている。荷受部１０９は、電気伝導性を備える接触部１３０を備える。接触部１３０は、載置された買物カゴ１０８と接触する接触位置に位置づけられ、アース部１３８によって基準電位点と接続されている。荷受部１０９に載置された買物カゴ１０８が接触部１３０に接触すると、買物カゴ１０８に帯電した静電気はアース部１３８を通じて逃げる。【選択図】図２
2008293341.tif 000002
【特許請求の範囲】
【請求項１】
商品を収納可能な買物カゴを載置するための荷受部と、
前記荷受部に載置された買物カゴと接触する接触位置に位置づけられる、電気伝導性を備える接触部と、
前記接触部と基準電位点とを接続するアース部と、
を備えるチェッカー台。
【請求項２】
前記荷受部の上面に形成される、前記載置された買物カゴを搬入側から搬出側までスライド移動可能な搬送路を備え、
前記接触部は、前記搬送路に沿って前記荷受部の上面に設けられるレールである、
請求項１記載のチェッカー台。
【発明の詳細な説明】
【技術分野】
【０００１】
本発明は、スーパーマーケットなどの比較的大型の店舗のレジカウンタに設置され、顧客が購入を予定している商品の登録作業を行うために買物カゴを載置するためのチェッカー台に関する。
【背景技術】
【０００２】
従来、スーパーマーケットなどの比較的大型の店舗のレジカウンタでは、商品コードに基づいて商品販売データ処理を実行する商品販売データ処理装置（ＰＯＳ端末）を用いて、顧客が購入を予定している商品を売上商品としてキャッシャが登録する登録作業が行われている。そして、キャッシャがこの登録作業を効率良く行うことができるように、ＰＯＳ端末の近くに買物カゴを載置可能なチェッカー台が設置されていることが多い。
【０００３】
図４は、ＰＯＳ端末１０２とチェッカー台１０１とが配置されたレジカウンタ１００の一例の外観斜視図である。
【０００４】
図４に示すレジカウンタ１００において、ＰＯＳ端末１０２およびドロワ１０２ａは、ＰＯＳ端末１０２の操作部およびドロワ１０２ａの抽斗をキャッシャ位置１０４に立つキャッシャ１０３と対面させてＰＯＳ設置台１１４の上に設置されている。以下、キャッシャ１０３がキャッシャ位置１０４に立ってＰＯＳ端末１０２と対面する向きを「ＰＯＳ操作方向」、ＰＯＳ操作方向から右に約９０度振り向いた向きを「接客方向」と表記する。
【０００５】
チェッカー台１０１は、キャッシャ位置１０４で接客方向を向いて立つキャッシャ１０３の正面に設置される。このチェッカー台１０１は、その上面に買物カゴ１０８を載置可能な矩形形状の平坦面を形成する荷受部１０９を備え、荷受部１０９の長手方向をＰＯＳ操作方向と平行に向けて設置されている。荷受部１０９は、接客方向を向いてキャッシャ位置１０４に立つキャッシャ１０３から見て右側の搬入側１０９ａから左側の搬出側１０９ｂへ向かう方向に、載置された買物カゴ１０８をスライド移動可能な搬送路１１６を形成している。なお、チェッカー台１０１を挟んでキャッシャ位置１０４と反対側には、搬送路１１６と平行に延びる顧客１０６が移動すべき移動通路１０７が形成されている。
【０００６】
チェッカー台１０１の荷受部１０９の移動通路１０７側の略中央には、ＰＯＳサブ端末１１０が立設されている。ＰＯＳサブ端末１１０は、コードリーダ１１０ａと、キーボード１１１と、キャッシャ表示器１１２と、顧客表示器１１３とを備えて構成されており、ＰＯＳ端末１０２と接続コード１１５を介してデータ通信自在に接続されている。コードリーダ１１０ａは、ＰＯＳサブ端末１１０のキャッシャ１０３に対面して設けられている。キーボード１１１およびキャッシャ表示器１１２は、接客方向を向いて立つキャッシャ１０３と対面する向きに傾斜させてＰＯＳサブ端末１１０の上部に配置される。また、顧客表示器１１３は、会計を待機している顧客１０６と対面する向きに傾斜させてＰＯＳサブ端末１１０の上部に配置される。そして、コードリーダ１１０ａは、商品を特定する商品コードがコードシンボル化された商品１０５に付されているコードシンボルを光学走査しデコードしてＰＯＳ端末１０２に入力する商品コード入力部として機能し、キーボード１１１はＰＯＳ端末１０２に対する入力部として機能し、キャッシャ表示器１１２および顧客表示器１１３はＰＯＳ端末１０２に対する出力部として機能する。
【０００７】
このような構成において、キャッシャ１０３は、キャッシャ位置１０４で接客方向を向き、ＰＯＳサブ端末１１０に対し左側となる荷受部１０９の搬出側１０９ｂに、空の買物カゴ１０８を載置して待機している。顧客１０６は、購入を予定している商品１０５を買物カゴ１０８に収納してキャッシャ１０３が待機しているレジカウンタ１００に赴き、荷受部１０９の搬入側１０９ａに買物カゴ１０８を載置した後、荷受部１０９の搬出側１０９ｂの近傍の位置１０６ａまで顧客１０６は移動通路１０７に沿って移動する。キャッシャ１０３は、載置された買物カゴ１０８から商品１０５を取り出しコードシンボル１０５ａをコードリーダ１１０ａに光学走査させて商品１０５を売上商品としてＰＯＳ端末１０２に登録する。キャッシャ１０３は、売上商品として登録した商品１０５を左側に用意されている空の買物カゴ１０８に投入する。キャッシャ１０３は、全ての商品１０５をＰＯＳ端末１０２に登録した後、位置１０６ａに待機する顧客１０６と会計取引を行う。顧客１０６は、会計取引終了後、商品１０５が格納された買物カゴ１０８を持って図示しない袋詰台まで移動して袋詰め作業を行う。キャッシャ１０３は、荷受部１０９の搬入側１０９ａにある空になった買物カゴ１０８をスライド移動させて搬出側１０９ｂに位置付ける。搬出側１０９ｂに位置付けられた買物カゴ１０８は、次の顧客１０６の会計取引で登録する商品１０５を投入するための買物カゴ１０８となる。
【０００８】
以上のような構造を備えるチェッカー台として、特許文献１には、買物カゴから商品を取り出してコードリーダにコードシンボルを読み込ませる作業の効率化を図るべく、買物カゴの磁性部材を着脱自在に吸着するマグネットを荷受部に設けたチェックアウトカウンタの発明が開示されている（特許文献１の図１）。さらに、特許文献１には、上面に二列のベアリングコンベヤを設けた変形例も記載されている（特許文献１の図５および図６）。
【０００９】
【特許文献１】特開平６−１０３４６２号公報
【発明の開示】
【発明が解決しようとする課題】
【００１０】
上記のように、キャッシャは顧客が購入を予定している商品をＰＯＳ端末に登録する場合に、買物カゴやその中に収納されている商品に触れることになる。
【００１１】
ところで、チェッカー台に載置される買物カゴやその中に収納されている商品は、使用態様や周囲環境によって電荷が蓄えられ、いわゆる静電気を帯びている状態になっていることがある。キャッシャが、電荷が蓄積された買物カゴや商品に接触すると、キャッシャの身体に電荷が蓄積されることになる。そして、身体に電荷が蓄積されたキャッシャが商品の登録作業を行うべくＰＯＳ端末やコードリーダなどの電子機器を操作すると、その蓄積された電荷が電子機器に急激に放電されることがある。このように、買物カゴに帯びた静電気は、キャッシャを介在して電子機器に伝わることになる。電子機器では、この伝わった静電気に起因して誤動作が発生するという問題があった。
【００１２】
本発明の目的は、チェッカー台の周囲に配置された電子機器の静電気に起因する誤動作を抑制することである。
【課題を解決するための手段】
【００１３】
本発明において上記の課題を解決するための手段は、商品を収納可能な買物カゴを載置するための荷受部と、前記荷受部に載置された買物カゴと接触する接触位置に位置づけられる、電気伝導性を備える接触部と、前記接触部と基準電位点とを接続するアース部と、を備えるチェッカー台である。
【発明の効果】
【００１４】
本発明によれば、荷受部に載置された買物カゴは、接触部に接触してアースされ基準電位点と等電位になり、帯電した静電気がアース部を通じて逃げ、したがって、チェッカー台の周囲に配置された電子機器の静電気に起因する誤動作を抑制することができる。
【発明を実施するための最良の形態】
【００１５】
本発明の実施の一形態を図１および図２に基づいて説明する。本実施の形態のチェッカー台は、ＰＯＳ端末、コードリーダなどの電子機器を備えたレジカウンタに適用される。
［構造］
図１は、チェッカー台１０１の外観斜視図である。
【００１６】
チェッカー台１０１は、キャッシャ１０３が立つべきキャッシャ位置１０４に隣接して、ＰＯＳ設置台１１４に設置されるＰＯＳ端末１０２の近傍に設置されている。チェッカー台１０１の上部をなす荷受部１０９は、顧客１０６が購入を予定している商品が収納された状態の買物カゴ１０８を載置して、搬入側１０９ａから搬出側１０９ｂに向けて載置された買物カゴ１０８をスライド移動できる搬送路１１６を形成している。
【００１７】
すなわち、図１に示すレジカウンタ１００において、ＰＯＳ端末１０２およびドロワ１０２ａは、ＰＯＳ端末１０２の操作部およびドロワ１０２ａの抽斗をキャッシャ位置１０４に立つキャッシャ１０３と対面させてＰＯＳ設置台１１４の上に設置されている。
【００１８】
チェッカー台１０１は、キャッシャ位置１０４で接客方向を向いて立つキャッシャ１０３の正面に設置される。このチェッカー台１０１は、その上面に買物カゴ１０８を載置可能な矩形形状の平坦面を形成する荷受部１０９を備え、荷受部１０９の長手方向をＰＯＳ操作方向と平行に向けて設置されている。荷受部１０９は、接客方向を向いてキャッシャ位置１０４に立つキャッシャ１０３から見て右側の搬入側１０９ａから左側の搬出側１０９ｂへ向かう方向に、載置された買物カゴ１０８をスライド移動可能な搬送路１１６を形成している。この荷受部１０９は、例えば、傷がついても外観上目立たない白色系の木製または樹脂などの素材で形成された平板である。
【００１９】
なお、チェッカー台１０１を挟んでキャッシャ位置１０４と反対側には、搬送路１１６と平行に延びる顧客１０６が移動すべき移動通路１０７が形成されている。
【００２０】
荷受部１０９は、チェッカー台１０１の下部をなす左右一対の側面支持部材１２１によって支持される。荷受部１０９と側面支持部材１２１とは、例えば、図示しないボルトで螺子止めされて接続される。一対の側面支持部材１２１の下方は、荷受部１０９と平行に設けられる底板部材１２２と接続している。これらの側面支持部材１２１および底板部材１２２は、例えば、金属製の素材によって形成される。
【００２１】
側面支持部材１２１、底板部材１２２および荷受部１０９によって囲われる荷受部１０９の下方に形成される空間は、移動通路１０７側を図示しない前板により塞がれ、鉛直に平面をなす２枚の仕切板１２３によって、略等間隔に３つの空間に分割される。これらの分割された空間は、図１に示すように、右側から左側に、空間１２４ａ、空間１２４ｂ、空間１２４ｃである。空間１２４ａおよび空間１２４ｃは、水平に平面をなす棚板１２５によって仕切られることによって、空間１２４ａは上方の空間１２４ａａと下方の空間１２４ａｂに、空間１２４ｃは上方の空間１２４ｃａと下方の空間１２４ｃｂに、それぞれ分割される。つまり、仕切板１２３および棚板１２５は、荷受部１０９の下方に形成される空間を、空間１２４ａａ、空間１２４ａｂ、空間１２４ｂ、空間１２４ｃａおよび空間１２４ｃｂの合計５つの空間に分割する。このうち、右上方に位置する空間１２４ａａには、荷受部１０９の下面と接して、接客方向とは反対の方向に引き出し可能な抽斗１２７が設けられている。
【００２２】
荷受部１０９上に形成される搬送路１１６の途中には、接触部となる電気伝導性を備えた金属部材１３０が埋設されている。金属部材１３０は荷受部１０９の上面から露出し、その表面が、荷受部１０９に載置された買物カゴ１０８と接触する接触位置に位置付けられている。金属部材１３０は、搬送路１１６と同じ方向に細長く形成された金属平板である。金属部材１３０は、荷受部１０９に形成される金属部材１３０と略同じ大きさに形成された装着孔１３０ａに嵌め込まれて、搬入側１０９ａと連続した平坦面をなして埋設されている。装着孔１３０ａの下面には、荷受部１０９を貫通する貫通孔１３２（図２参照）が設けられている。貫通孔１３２には、アース線（図２参照）１３３が挿通されている。アース線１３３は、金属部材１３０下面と基準電位点となるアースターミナル１３６と接続している（図２参照）。アース線１３３とアースターミナル１３６とは、物体の電位を基準電位点と等電位にさせるアース部１３８を構成する。
【００２３】
チェッカー台１０１の荷受部１０９の移動通路１０７側の略中央には、ＰＯＳサブ端末１１０が立設されている。ＰＯＳサブ端末１１０は、コードリーダ１１０ａと、キーボード１１１と、キャッシャ表示器１１２と、顧客表示器１１３とを備えて構成されており、ＰＯＳ端末１０２と接続コード１１５を介してデータ通信自在に接続されている。コードリーダ１１０ａは、ＰＯＳサブ端末１１０のキャッシャ１０３に対面して設けられている。キーボード１１１およびキャッシャ表示器１１２は、接客方向を向いて立つキャッシャ１０３と対面する向きに傾斜させてＰＯＳサブ端末１１０の上部に配置される。また、顧客表示器１１３は、会計を待機している顧客１０６と対面する向きに傾斜させてＰＯＳサブ端末１１０の上部に配置される。そして、コードリーダ１１０ａは、商品を特定する商品コードがコードシンボル化された商品１０５に付されているコードシンボルを光学走査しデコードしてＰＯＳ端末１０２に入力する商品コード入力部として機能し、キーボード１１１はＰＯＳ端末１０２に対する入力部として機能し、キャッシャ表示器１１２および顧客表示器１１３はＰＯＳ端末１０２に対する出力部として機能する。
【００２４】
また、荷受部１０９の上面でＰＯＳサブ端末１１０が立設するその足元を取り囲む位置に、荷受部１０９から突起してガイド１３１が設けられている。ガイド１３１は、荷受部１０９の上を搬入側１０９ａから搬出側１０９ｂに向けてスライド移動される買物カゴ１０８の動きを規制し、ＰＯＳサブ端末１１０と接触させることなく買物カゴ１０８を搬送路１１６に沿って搬送させることを可能にする。
【００２５】
図２は、チェッカー台１０１の配線構造を示す模式図である。
【００２６】
チェッカー台１０１の荷受部１０９の下方で仕切板１２３に仕切られて形成される空間１２４ｂには、図示しない外部コンセントに接続されるマルチタップ１３４が設置されている。マルチタップ１３４は、複数の図示しないプラグ受けを上向に向けて、底板部材１２２の上面に固定されている。複数の図示しないプラグ受けのうち一つのプラグ受けには、ＰＯＳサブ端末１１０に電力を供給する電源ケーブル１３５が接続されている。また、底板部材１２２の上面は、基準電位点に接続されているアースターミナル１３６が設けられている。マルチタップ１３４とアースターミナル１３６とは、接続コード１３７を介して等電位となるように接続されている。
【００２７】
荷受部１０９の装着孔１３０ａに装着された金属部材１３０は、貫通孔１３２に挿通されるアース線１３３を介して、接続コード１３７に接続されている。金属部材１３０とアース線１３３とは、例えば、はんだ付けによって接続される。
［使用態様］
このような構成において、キャッシャ１０３は、キャッシャ位置１０４で接客方向を向き、ＰＯＳサブ端末１１０に対し左側となる荷受部１０９の搬出側１０９ｂに、空の買物カゴ１０８を載置して待機している。顧客１０６は、購入を予定している商品１０５を買物カゴ１０８に収納してキャッシャ１０３が待機しているレジカウンタ１００に赴き、荷受部１０９の搬入側１０９ａに買物カゴ１０８を載置した後、荷受部１０９の搬出側１０９ｂの近傍の位置１０６ａまで顧客１０６は移動通路１０７に沿って移動する。キャッシャ１０３は、載置された買物カゴ１０８から商品１０５を取り出しコードシンボル１０５ａをコードリーダ１１０ａに光学走査させて商品１０５を売上商品としてＰＯＳ端末１０２に登録する。キャッシャ１０３は、売上商品として登録した商品１０５を左側に用意されている空の買物カゴ１０８に投入する。キャッシャ１０３は、全ての商品１０５をＰＯＳ端末１０２に登録した後、位置１０６ａに待機する顧客１０６と会計取引を行う。顧客１０６は、会計取引終了後、商品１０５が格納された買物カゴ１０８を持って図示しない袋詰台まで移動して袋詰め作業を行う。キャッシャ１０３は、荷受部１０９の搬入側１０９ａにある空になった買物カゴ１０８をスライド移動させて搬出側１０９ｂに位置付ける。搬出側１０９ｂに位置付けられた買物カゴ１０８は、次の顧客１０６の会計取引で登録する商品１０５を投入するための買物カゴ１０８となる。
［作用］
上記に述べた一連の会計取引の流れの中で、買物カゴ１０８は荷受部１０９の搬入側１０９ａに載置されて、搬送路１１６に沿って搬出側１０９ｂに向けて搬送される。そして、搬送される買物カゴ１０８は、搬送路１１６の途中で荷受部１０９の上面に露出する金属部材１３０と接触する。買物カゴ１０８が金属部材１３０に接触すると、買物カゴ１０８に帯電している静電気は、金属部材１３０、アース線１３３およびアースターミナル１３６を介して逃げてアースされる。結果として、買物カゴ１０８と基準電位点とは等電位になる。
【００２８】
なお、搬送路１１６に沿って搬送される買物カゴ１０８は、ガイド１３１によってスライド移動可能となる位置が規制され、ＰＯＳサブ端末１１０に接触することなく搬入側１０９ａから搬出側１０９ｂまで搬送される。
【００２９】
本実施の形態のチェッカー台１０１によれば、荷受部１０９に載置された買物カゴ１０８は、接触部である金属部材１３０に接触するとアース部１３８を構成するアース線１３３およびアースターミナル１３６によって基準電位点と等電位になり、買物カゴ１０８に帯電した静電気がアース線１３３およびアースターミナル１３６を通じて逃げ、したがって、チェッカー台１０１の周囲に配置されたＰＯＳ端末１０２やコードリーダ１１０ａなどの電子機器の静電気に起因する誤動作を抑制することができる。
【００３０】
さらに、本実施の形態のチェッカー台１０１によれば、ガイド１３１によって搬送路１１６に沿って荷受部１０９の上面を搬送される買物カゴ１０８が電子機器であるＰＯＳサブ端末１１０と接触することがなく、したがって、買物カゴ１０８からＰＯＳサブ端末１１０に静電気が逃げることがない。
［別の実施の形態］
次いで、本発明の別の実施の形態を図３に基づいて説明する。この場合、図１および図２に基づいて前述した実施の一形態と同一の部分は同一符号で示し、説明も省略する。
【００３１】
図３は、本実施の形態のチェッカー台の外観斜視図である。
【００３２】
本実施の形態のチェッカー台１０１に備わる接触部は、搬送路１１６に沿って延びるレール１４０である。レール１４０は、直線状に延びる丸棒形状の金属棒であり、等間隔をなして搬送路１１６と同じ方向に並べている荷受部１０９の上面に埋設される。このレール１４０は、前述した実施の形態のチェッカー台１０１に備わる金属部材１３０と同様に、アース部１３８を構成するアース線１３３およびアースターミナル１３６に接続されている。
【００３３】
本実施の形態のチェッカー台１０１では、顧客１０６は購入を予定している商品１０５を収納した買物カゴ１０８をレール１４０に載置する。キャッシャ１０３は、レール１４０の向きに沿って買物カゴ１０８をスライド移動する。
【００３４】
本実施の形態のチェッカー台１０１によっても、前述した実施の形態のチェッカー台１０１と同様に、チェッカー台１０１の周囲に配置されたＰＯＳ端末１０２やコードリーダ１１０ａなどの電子機器の静電気に起因する誤動作を抑制することができる。さらに、本実施の形態のチェッカー台１０１によれば、荷受部１０９には搬送路１１６に沿って延びるレール１４０が設けられ、したがって、キャッシャ１０３はレール１４０の上に載置される買物カゴ１０８を搬送路１１６に沿って搬入側１０９ａから搬出側１０９ｂに向けてスムーズにスライド移動させることができる。
【００３５】
また、本実施の形態のチェッカー台１０１によれば、レール１４０となる金属棒はアース部１３８をなすアース線１３３およびアースターミナル１３６に接続されており、買物カゴ１０８が搬送路１１６に沿ってスライド移動されても買物カゴ１０８は静電気を帯びることがない。
【００３６】
なお、本実施の形態のチェッカー台１０１は、キャッシャ位置１０４で接客方向を向いて立つキャッシャ１０３から見て右側から左側に買物カゴ１０８をスライド移動させて運用されるものであるが、本発明の実施の形態はこの形態に限られることはなく、店舗の形状に応じて、左側から右側に買物カゴ１０８をスライド移動させて運用されるものであっても構わないことは言うまでもない。
【図面の簡単な説明】
【００３７】
【図１】チェッカー台の外観斜視図である。
【図２】チェッカー台の配線構造を示す模式図である。
【図３】本発明の別の実施の形態のチェッカー台の外観斜視図である。
【図４】ＰＯＳ端末とチェッカー台とが配置されたレジカウンタの従来の一例の外観斜視図である。
【符号の説明】
【００３８】
１０１…チェッカー台、１０５…商品、１０８…買物カゴ、１１６…搬送路、１３０…金属部材（接触部）、１３８…アース部、１４０…レール（接触部）
【図１】
2008293341.tif 000003
【図２】
2008293341.tif 000004
【図３】
2008293341.tif 000005
【図４】
2008293341.tif 000006